(57)【要約】      （修正有）【課題】単結晶引き上げ装置内のガスに含まれるガス成分の濃度をより高精度に測定することができるガス分析方法を提供する。【解決手段】シリコン単結晶を引き上げる単結晶引き上げ装置内のガス成分の濃度を分析する方法であって、単結晶引き上げ装置から採取したサンプルガスを質量分析装置に導いて、サンプルガスに含まれる所定のガス成分に対して、その分子数と正相関する電流値を測定する第１工程と、予め求めておいた、質量分析装置内の圧力と所定のガス成分に対する電流値のバックグラウンド値との関係と、所定のガス成分に対する電流値の測定時の質量分析装置内の圧力とから、第１工程において測定された所定のガス成分に対する電流値を補正し、上記所定のガスの濃度を算出する第２工程とを含むことを特徴とする。【選択図】図３
2020106369.tif 000002
【特許請求の範囲】
【請求項１】
シリコン単結晶を引き上げる単結晶引き上げ装置内のガス成分の濃度を分析する方法であって、
前記単結晶引き上げ装置から採取したサンプルガスを質量分析装置に導いて、前記サンプルガスに含まれる所定のガス成分に対して、その分子数と正相関する電流値を測定する第１工程と、
予め求めておいた、前記質量分析装置内の圧力と前記所定のガス成分に対する電流値のバックグラウンド値との関係と、前記第１工程における前記所定のガス成分に対する電流値の測定時の前記質量分析装置内の圧力とから、前記第１工程において測定された前記所定のガス成分に対する電流値を補正し、前記所定のガスの濃度を算出する第２工程と、
を含むことを特徴とするガス分析方法。
【請求項２】
前記所定のガス成分は、前記サンプルガスに対する濃度が１０ｐｐｍ以上２０００ｐｐｍ以下である希薄ガスの成分である、請求項１に記載のガス分析方法。
【請求項３】
前記所定のガス成分は一酸化炭素である、請求項２に記載のガス分析方法。
【請求項４】
前記バックグラウンド値は、前記単結晶引き上げ装置内の構成部材を加熱して前記構成部材からの脱離ガスを除去し、前記質量分析装置内の初期排気到達真空度を１×１０-6Ｐａ以下とした後に、前記単結晶引き上げ装置内に不活性ガスを一定流量で流しながら、前記質量分析装置から出力される前記所定のガス成分に対する電流値である、請求項１〜３のいずれか一項に記載のガス分析方法。
【請求項５】
複数の単結晶引き上げ装置の各々について、単結晶引き上げ装置に質量分析装置を接続し、この単結晶引き上げ装置と質量分析装置の組に対して前記関係を予め求めておく、請求項１〜４のいずれか一項に記載のガス分析方法。
【発明の詳細な説明】
【技術分野】
【０００１】
本発明は、ガス分析方法に関する。
【背景技術】
【０００２】
半導体デバイスの基板として使用されるシリコンウェーハは、チョクラルスキー法（ＣＺ法）によって製造された単結晶シリコンインゴットに対してウェーハ加工を施すことによって製造することが多い。
【０００３】
図１は、ＣＺ法によりシリコン単結晶を育成する一般的な単結晶引き上げ装置の一例を示している。この図に示した単結晶引き上げ装置１００は、チャンバ５１内に、多結晶シリコンなどのシリコン原料を収容するためのるつぼ５２が設けられており、るつぼ５２は、石英製るつぼ５２ａとカーボン製るつぼ５２ｂとで構成されている。このるつぼ５２の下部には、るつぼ５２を円周方向に回転させるとともに、るつぼ５２を鉛直方向に昇降させるるつぼ回転昇降軸５３が取り付けられている。また、るつぼ５２の周囲には、ヒータ５４が配置されており、るつぼ５２内に収容されたシリコン原料を加熱してシリコン融液Ｍにする。
【０００４】
チャンバ５１の上部には、シリコン単結晶インゴットＩを引き上げるための引き上げ軸５５が設けられており、この先端に固定された種結晶保持器５６に種結晶Ｓが保持されている。また、チャンバ５１の上部および下部には、ガス導入口５７およびガス排出口５８がそれぞれ設けられており、シリコン単結晶インゴットＩの育成中に、ガス導入口５７からチャンバ５１内にアルゴン（Ａｒ）ガスなどの不活性ガスを供給し、インゴットＩの外周面に沿って通過させてガス排出口５８から排出するように構成されている。
【０００５】
さらに、チャンバ５１内には、育成中のインゴットＩの外周面を包囲する円筒形の熱遮蔽部材６０が設けられている。熱遮蔽部材６０は、ヒータ５４やシリコン融液Ｍ、るつぼ５２の側壁からの輻射熱を遮蔽して、引き上げる単結晶シリコンインゴットＩの冷却を促進する一方、インゴットＩの外周面を保温し、単結晶シリコンインゴットＩの中心部と外周部における結晶軸方向の温度勾配の差が大きくなるのを抑制する。
【０００６】
上記装置１００を用いて、シリコン単結晶の育成は以下のように行う。まず、るつぼ５２の石英製るつぼ５２ａにシリコン原料を充填し、チャンバ５１内を減圧下のＡｒガス等の不活性ガス雰囲気に維持した状態で、ヒータ５４によってるつぼ５２内に充填されたシリコン原料を加熱して溶融し、シリコン融液Ｍとする。次いで、るつぼ回転昇降軸５３によってるつぼ５２の高さ位置を調節し、シリコン融液Ｍの液面の高さ位置をヒータ５４の上端の高さ位置に対して設定された高さ位置に調整する。そして、所望の仕様を有するシリコン単結晶が得られるように調整された製造条件の下で、種結晶をシリコン融液Ｍに浸漬し、るつぼ５２および引き上げ軸５５を設定された方向に回転させながら、引き上げ軸５５によって種結晶Ｓを引き上げる。こうしてシリコン単結晶を製造することができる。
【０００７】
ところで近年、絶縁ゲートバイポーラトランジスタ（Insulated Gate Bipolar Transistor、ＩＧＢＴ）をはじめとするパワー半導体市場の拡大に伴い、優れた耐圧特性を有するシリコンウェーハが求められている。このようなシリコンウェーハに求められる品質として、欠陥がないことの他に、キャリアのライフタイムを長くするために、不純物の濃度が低いことが重要視されつつある。
【０００８】
上記不純物の中でも、炭素はデバイス形成工程の熱処理中にキラー欠陥と呼ばれる電気的に活性な欠陥を形成する原因として知られており、キャリアのライフタイムを短くする。よって、キャリアのライフタイムが長いシリコンウェーハを得るためには、引き上げるシリコン単結晶中の炭素濃度を低減する必要があり、そのためには単結晶引き上げ装置１００内のＣＯガスの発生状況を把握する必要がある。
【０００９】
一般に、炭素（以下、「Ｃ」とも言う。）はシリコン融液Ｍから結晶に取り込まれるが、シリコン融液Ｍに取り込まれる炭素源の１つとして、一酸化炭素（以下、「ＣＯ」とも言う。）ガスの混入が考えられる。
【００１０】
単結晶引き上げ装置１００内には、カーボン製るつぼ（黒鉛あるいは炭素繊維強化炭素複合材料）５２ａ、カーボン製の熱遮蔽部材６０、カーボン製ヒータ５４など様々な炭素製部材が配置され、装置内は１５００℃を越える高温環境下に置かれる。そのため、上記単結晶引き上げ装置１００内の炭素製部材から、以下の化学反応によってＣＯガスが発生するものと推定される。
【００１１】
上記ＣＯガスを発生させる化学反応として想定されるものは、シリコン融液Ｍから発生するＳｉＯガスとカーボン製ヒータ５４や熱遮蔽部材６０との反応（１）、および石英製るつぼ５２ａとカーボン製るつぼ５２ｂとの反応（２）である。上記２つの化学反応は、それぞれ下記の通りである。
ＳｉＯ＋２Ｃ→ＳｉＣ＋ＣＯ↑                      （１）
ＳｉＯ2＋３Ｃ→ＳｉＣ＋２ＣＯ↑                    （２）
【００１２】
上述のように、シリコン単結晶の引き上げ時には、シリコン融液Ｍの上方からるつぼ５２の下方に向けてＡｒガスなどの不活性ガスが流れている。そのため、上記化学反応によって発生するＣＯガスの多くはガス排出口５８から排出されるが、一部のＣＯガスは装置１００内を逆流するガスに乗って、シリコン融液Ｍに混入する。
【００１３】
上記シリコン融液ＭへのＣＯガスの混入量は直接測定することはできないが、発生するＣＯガスのほとんどが排気管を経由して単結晶引き上げ装置１００外に排出されるため、排出されたＣＯガス量の変化をモニターすることができれば、シリコン融液ＭへのＣＯガス混入量を推定することができる。
【００１４】
上記単結晶引き上げ装置１００内のＣＯガスを測定する技術として、例えば、特許文献１には、石英製るつぼ内のシリコン融液の液面で発生するＳｉＯガスをカーボン材の炭素と反応させてＣＯガスを発生させて装置の外部に取り出し、質量分析装置によりＣＯガスの濃度を測定することによって、ＳｉＯガスの発生量を間接的に測定する技術が記載されている。
【先行技術文献】
【特許文献】
【００１５】
【特許文献１】特開２０００−３３５９９２号公報
【発明の概要】
【発明が解決しようとする課題】
【００１６】
本発明者らが、質量分析装置を用いて、結晶引き上げ中に単結晶引き上げ装置１００から排出された排ガスに含まれるＣＯガスの濃度を測定したところ、ＣＯガスの濃度が不連続に変化する場合があることが判明した。
【００１７】
上記ＣＯガス濃度の不連続な変化は、例えば種結晶Ｓをシリコン融液Ｍに着液した時などの別のプロセスへの移行時のみならず、シリコン単結晶の直胴部の形成開始時から数時間が経過した時点のような、プロセス条件に何ら変更のない時点でも発生することが分かった。
【００１８】
こうしたことから、排ガスに含まれるＣＯガスの濃度測定に影響を与える何らかの外的要因があり、これによりＣＯガス濃度の測定精度が低下して、上述したようなＣＯガス濃度の不連続な変化が発生したと考えられる。
【００１９】
本発明は、上記事情を鑑みてなされたものであり、その目的とするところは、単結晶引き上げ装置内のガスに含まれるガス成分の濃度をより高精度に測定することができるガス分析方法を提供することにある。
【課題を解決するための手段】
【００２０】
上記課題を解決する本発明は以下の通りである。
［１］シリコン単結晶を引き上げる単結晶引き上げ装置内のガス成分の濃度を分析する方法であって、
前記単結晶引き上げ装置から採取したサンプルガスを質量分析装置に導いて、前記サンプルガスに含まれる所定のガス成分に対して、その分子数と正相関する電流値を測定する第１工程と、
予め求めておいた、前記質量分析装置内の圧力と前記所定のガス成分に対する電流値のバックグラウンド値との関係と、前記第１工程における前記所定のガス成分に対する電流値の測定時の前記質量分析装置内の圧力とから、前記第１工程において測定された前記所定のガス成分に対する電流値を補正し、前記所定のガスの濃度を算出する第２工程と、
を含むことを特徴とするガス分析方法。
【００２１】
［２］前記所定のガス成分は、前記サンプルガスに対する濃度が１０ｐｐｍ以上２０００ｐｐｍ以下である希薄ガスの成分である、前記［１］に記載のガス分析方法。
【００２２】
［３］前記所定のガス成分は一酸化炭素である、前記［２］に記載のガス分析方法。
【００２３】
［４］前記バックグラウンド値は、前記単結晶引き上げ装置内の構成部材を加熱して前記構成部材からの脱離ガスを除去し、前記質量分析装置内の初期排気到達真空度を１×１０-6Ｐａ以下とした後に、前記単結晶引き上げ装置内に不活性ガスを一定流量で流しながら、前記質量分析装置から出力される前記所定のガス成分に対する電流値である、前記［１］〜［３］のいずれか一項に記載のガス分析方法。
【００２４】
［５］複数の単結晶引き上げ装置の各々について、単結晶引き上げ装置に質量分析装置を接続し、この単結晶引き上げ装置と質量分析装置の組に対して前記関係を予め求めておく、前記［１］〜［４］のいずれか一項に記載のガス分析方法。
【発明の効果】
【００２５】
本発明によれば、単結晶引き上げ装置内のガスに含まれるガス成分の濃度をより高精度に測定することができる。
【図面の簡単な説明】
【００２６】
【図１】ＣＺ法によりシリコン単結晶を育成する一般的な単結晶引き上げ装置の一例を示す図である。
【図２】分析圧力と、ＣＯガスに対する電流値のバックグラウンド値との関係を示す図である。
【図３】一酸化炭素の濃度および質量分析装置内の圧力を示す図である。
【図４】５つの単結晶引き上げ装置において製造されたシリコン単結晶中の炭素濃度の平均値を示す図である。
【発明を実施するための形態】
【００２７】
以下、図面を参照して本発明の実施形態について説明する。本発明によるガス分析方法は、シリコン単結晶を引き上げる単結晶引き上げ装置内のガス成分の濃度を分析する方法であって、単結晶引き上げ装置から採取したサンプルガスを質量分析装置に導いて、サンプルガスに含まれる所定のガス成分に対して、その分子数と正相関する電流値を測定する第１工程と、予め求めておいた、質量分析装置内の圧力と所定のガス成分に対する電流値のバックグラウンド値との関係と、第１工程における所定のガス成分に対する電流値の測定時の質量分析装置内の圧力とから、第１工程において測定された所定のガス成分に対する電流値を補正し、所定のガスの濃度を算出する第２工程とを含むことを特徴とする。
【００２８】
本発明者らは、シリコン単結晶の引き上げ時に測定されたＣＯガス濃度が上述のように不連続な変化が発生した原因について検討する過程で、ＣＯガスの濃度が不連続に変化した時点と、質量分析装置内の圧力（以下、「分析圧力」とも言う。）が大きく変化した時点との間に良好な相関があることを見出した。
【００２９】
すなわち、単結晶引き上げ装置１００とガス分析装置（図示せず）とは、ガス排出口５８およびガス排気管（図示せず）を介して接続されているため、シリコン単結晶引き上げ中の質量分析装置内の圧力は、装置１００内の圧力に対して、配管に設けられたバルブの開度に応じた圧力となる。従って、プロセス移行時などに単結晶引き上げ装置１００内の圧力が変化した場合には、分析圧力も連動して変化する。
【００３０】
また、質量分析装置には、ガス濃度を測定する際の推奨される装置固有の圧力範囲がある。そのため、ガス分析中に分析圧力が推奨圧力範囲から外れそうになる場合には、バルブの開度を変更して分析圧力を調整することもある。このように、シリコン単結晶引き上げ中に分析圧力は変化しうる。
【００３１】
しかし本来、質量分析装置によって測定されるガス濃度は、分析圧力に依存しない。すなわち、質量分析装置は、ガスに含まれる原子や分子などの化学物質をイオン化し、生成したイオンをその分子量に応じて分離してガス成分の濃度を分析する装置である。質量分析装置は、イオンの個数に応じた電流値を出力するため、例えばＡｒガス中のガス成分Ｘの濃度ＣXは、
ＣX＝ＩX／ＩAr                          （３）
と表すことができる。
【００３２】
上記式（３）において、分析圧力が例えば２倍になると、イオン化されるＡｒおよびガス種Ｘの双方の数が２倍になるため、ＩXおよびＩArがそれぞれ２倍になり、ＣXは変化しない。そのため、本来であれば、ガス成分Ｘの濃度ＣXは分析圧力に依存しない。しかしながら、上述のように、ＣＯガスの濃度が不連続に変化する時点と、分析圧力が大きく変化する時点との間に良好な相関が見られたのである。
【００３３】
本発明者らは、上記相関が見られた原因について鋭意検討した。その結果、単結晶引き上げ装置１００内のガスに含まれるＣＯガスの濃度はｐｐｍオーダーと希薄であるために、質量分析装置から出力された電流値に含まれる、装置由来のバックグラウンド（以下、「ＢＧ」とも言う。）に大きく影響されているのではないかと考えた。すなわち、上記式（３）における電流値ＩXは、ガス成分Ｘによる真の電流値ＩXtrueに加えて、装置由来のＢＧ値が含まれていると考えられる。
ＩX＝ＩXtrue＋ＩBG                  （４）
【００３４】
上記式（４）において、分析圧力が例えば２倍になったとき、Ｉxtrue値は２倍になるもののＩBG値は変化しない。ここで、ガス成分Ｘの濃度がＣＯガスなどのように希薄である場合、ＩXtrue値に対するＩBG値の割合は無視できるほど小さくないため、分析圧力が２倍になったときＩXは２倍から大きくずれた値になる。これに対して、ガス成分Ｘの濃度がＡｒガスなどのように高い場合には、ＩXtrue値に対するＩBG値の割合は小さく、分析圧力が２倍になったときＩXは２倍に近い値になる。
【００３５】
このように、本発明者らは、単結晶引き上げ装置１００内のガスに含まれるＣＯガスの濃度がｐｐｍオーダーと希薄であるために、上記式（４）におけるＩBG値の影響が大きく、分析圧力の大きな変化に伴って濃度が不連続に変化したのではないかと考えた。
【００３６】
本発明者らは、上記推測に基づいて、ＣＯガスに対する電流値ＩCOのＩBG値を予め求めておき、測定されたＣＯガスに対する電流値ＩCOからＩBG値を差し引くことによって、ＣＯガスの濃度を高精度に測定できるのではないかと考えた。しかし、後述する実施例に示すように、ＩBG値は分析圧力に依存することが判明した。
【００３７】
そこで、本発明者らは、ＣＯガスのように濃度が希薄なガス成分であっても、その濃度を高精度に分析する方途について鋭意検討した。その結果、分析圧力と測定対象の所定のガス成分に対する電流値のバックグラウンド値との関係を予め求めておき、上記関係と所定のガス成分に対する電流値の測定時の質量分析装置内の圧力とから、測定されたガス成分に対する電流値を補正し、上記所定のガスの濃度を算出することが極めて有効であることを見出し、本発明を完成させたのである。以下、各工程について説明する。
【００３８】
まず、第１工程において、単結晶引き上げ装置１００から採取したサンプルガスを質量分析装置に導いて、サンプルガスに含まれる所定のガス成分に対して、その分子数と正相関する電流値を測定する。測定対象の所定のガス成分は、単結晶引き上げ装置１００内のガスに含まれるガス成分であれば特に限定されないが、ガス成分の濃度が低いほど、本発明による測定精度の向上効果が高くなる。特に、サンプルガスに対する所定のガス成分の濃度が１０ｐｐｍ以上２０００ｐｐｍ以下と希薄である場合には、本発明による測定精度の向上効果が高くなる。ＣＯはこうした希薄なガス成分の１つであり、本発明は、ＣＯガス濃度の測定において極めて顕著な精度向上効果を達成することができる。
【００３９】
また、ガス濃度の測定に用いる質量分析装置としては、特に限定されないが、例えば四重極質量分析装置を用いることができる。四重極質量分析装置は、イオンを生成し、生成したイオンに加速電圧を印加するイオン源部と、イオン源部から入射されたイオンを質量分離する四重極電極部と、２次電子増倍管およびコレクタで構成された、質量分離されたイオンを検出するイオン検出部とで構成されている。
【００４０】
四重極電極部は４本の平行ロッド状電極からなり、相対する２本の電極はそれぞれ結線されている。そして、一方の電極の組に正の直流（ＤＣ）電圧およびそれに重畳する高周波（ＲＦ）電圧を印加し、他方の電極の組には上記一方の電極に印加したものと正反対の負のＤＣ電圧および位相が１８０°異なるＲＦ電圧を印加することによって、四重極電場が形成される。
【００４１】
四重極電場に入射したイオンは、上下方向および左右方向に振動しながら四重極電極部内を進むが、ＤＣ電圧およびＲＦ電圧を制御することによって、特定の質量のイオンのみが安定な振動モードを有して四重極間を通り抜けてイオン検出部に到達するような電場を形成して、特定の質量のイオンのみを取り出すことができる。
【００４２】
正確には、上記振動モードはイオンの質量ｍではなく、電荷Ｚに対する質量ｍの比である質量電荷比ｍ／Ｚによって決定されるため、イオンは質量電荷比ｍ／Ｚによって篩い分けがなされる。しかし、多くの場合、分子は１価のイオンを形成するため、質量ｍにより篩い分けしているとしてよい。
【００４３】
四重極質量分析装置では、質量電荷比ｍ／Ｚが１から１００に相当するガスの電流値Ｉm/Zが検出器から得られる。ガス濃度を求めるためには、対象となる各々のガス成分の電流値から、相対比率を求めて濃度を決定する。
【００４４】
例えば、不活性ガスとしてのＡｒガスに含まれるＣＯガスの濃度を求める場合、Ａｒの電流値に対するＣＯの電流値を求めればよい。しかし、ＣＯの質量数は２８であり、この質量数は窒素（以下、「Ｎ2」とも言う。）の質量数と同じであるため、質量数２８のイオンの電流値からＮ2の電流値を分離してＣＯガス濃度を求めるのは困難である。
【００４５】
そこで、本発明においては、ＣＯガスの濃度は、質量数１２のＣの電流値Ｉ12および質量数４４の二酸化炭素（以下、「ＣＯ2」とも言う。）の電流値Ｉ44から求める。すなわち、四重極質量分析装置においてイオン化されるＣＯ分子は、その全てがＣＯ+イオンとしてイオン化されず、一部はＣ+イオンとしてイオン化される。ＣＯがＣ+イオンとなる割合は、ＣＯ+イオンに比べて低いものの、一定の割合で生成される。
【００４６】
また、装置１００内のガスにはＣＯ2も含まれるが、ＣＯ2についてもその全てがＣＯ2+イオンとしてイオン化されず、一部はＣ+イオンおよびＣＯ+イオンとしてイオン化される。
【００４７】
ＣＯがイオン化された際にＣ+イオンとしてイオン化される割合Ａc+、およびＣＯ2がイオン化された際にＣ+イオンおよびＣＯ+イオンが生成される割合Ｂc+、Ｂco+は、装置に依存するため一概に決定されない。そこで、濃度が既知なＣＯガスやＣＯ2ガスを用いて、上記Ａc+、Ｂc+、Ｂco+の値を予め求めておくことが好ましい。Ａc+の値は０．０４〜０．０６程度、Ｂc+の値は０．０４〜０．０６程度、Ｂco+の値は０．０８〜０．１程度である。
【００４８】
Ａc+、Ｂc+、Ｂco+の値が得られている場合には、下記の式（５）を用いて、Ｃ+イオンの電流値Ｉ12およびＣＯ2+イオンの電流値Ｉ44から、ＣＯ+イオンの電流値を推定することができ、ＣＯガスの濃度ＣCOを求めることができる。
【００４９】
【数１】
2020106369.tif 000003
【００５０】
上記式（５）においては、ＣＯ+イオンに起因する電流値の変換には、質量数１２に相当するＣ+イオンの電流値Ｉ12に換算係数を掛けて変換するが、Ｃ+イオンの電流値Ｉ12には、ＣＯ+イオンの他にＣＯ2+イオンの電流値Ｉ44も含まれている。そのため、測定されたＣ+イオンの電流値Ｉ12からＣＯ2に由来する電流値Ｉ44を差し引いた後、ＣＯ+イオンのみの電流値に変換し、Ａｒ+イオンの電流値との相対比率を求めてＣＯガスの濃度ＣCOを決定している。
【００５１】
また、質量分析装置のＣＯガスとＡｒガスに対する感度が異なるため、窒素（以下、「Ｎ2」とも言う。）を基準とした感度係数で補正して換算している。本発明においては、ＣＯの対Ｎ2感度を１．０３、Ａｒの対Ｎ2感度を１．２３とした（例えば、四重極型質量分析計  ソフトウェア  ＱＵＡＤＶＩＳＩＯＮ２−Ｗｉｎ７  取扱説明書（キヤノンアネルバ株式会社）参照）。
【００５２】
こうして、質量分析装置によって、単結晶引き上げ装置１００から採取したサンプルガスを質量分析装置に導いて、サンプルガスに含まれる所定のガス成分に対して、その分子数と正相関する電流値を測定することができる。
【００５３】
次いで、第２工程において、予め求めておいた、質量分析装置内の圧力と所定のガス成分に対する電流値のバックグラウンド値との関係と、上記第１工程における所定のガス成分に対する電流値の測定時の質量分析装置内の圧力とから、第１工程において測定された所定のガス成分に対する電流値を補正し、上記所定のガスの濃度を算出する。
【００５４】
上述のように、所定のガス成分Ｘの濃度が希薄である場合には、質量分析装置によって測定される電流値ＩXに占めるＢＧ値ＩBGの割合が大きく、無視することができない。そこで、第２工程では、第１工程において測定された所定のガス成分Ｘに対する電流値ＩXから、予め求めておいたＢＧ値ＩBGを測定時の分析圧力に応じて差し引くことによって、測定された所定のガス成分に対する電流値を補正し、上記所定のガスの濃度を算出する。
【００５５】
質量分析装置を用いて測定したデータのＢＧの因子として、装置の分解能Δｍ／ｍに起因する項、および質量分析装置内の残留ガスに起因する項の２点が挙げられる。
【００５６】
まず、装置の分解能Δｍ／ｍに起因する項について、四重極質量分析装置以外の質量分析装置では、分解能Δｍ／ｍは一定となるため、高質量のイオンに対してはピーク幅Δｍが広くなり、高質量分子ほど分離が困難となる。
【００５７】
一方、四重極質量分析装置では、ＤＣ／ＲＦ比を高質量ほど高くなるよう制御することにより、均一なピーク幅Δｍを得ることができ、なおかつピーク幅Δｍは十分に小さくできることが知られている。例えば、質量数４０のＡｒの場合、質量数３９のイオンの電流値Ｉ39や質量数４１のイオンの電流値Ｉ41の値は、質量数４０のＡｒの電流値Ｉ40に比べて２桁以上小さい。従って、分析対象のガスの主成分がＡｒである場合、ｍ=４０に隣接するｍ＝３９，４１以外のガス種に関しては、ピーク幅Δｍの影響を無視してもよい。
【００５８】
一方、質量分析装置内の残留ガスに起因する項については、ＣＯガス濃度を決定する際に必要な電流値であるＩ12、Ｉ44に含まれるＢＧ値は、残留ガスに含まれるＣＯおよびＣＯ2が主要因であると考えられる。ここで、質量分析装置内のガスは、取り込みガス（サンプルガス）と残留ガスとで構成される。後者のみを分析するには、サンプルガスを取り込むバルブを閉じて分析すればよい。
【００５９】
一般に、質量分析装置内の残留ガス成分は、内部の減圧に使用する真空ポンプの種類や、真空度に依存する。例えば、使用する質量分析装置の推奨分析圧力の範囲が１０-4〜１０-3Ｐａである場合には、推奨圧力範囲における残留ガスを分析すればよい。しかしながら、質量分析装置は、一般的にターボ分子ポンプに接続されているため、バルブを閉じた場合に分析圧力は短時間で１０-4Ｐａ以下となり、所望の圧力範囲でのＢＧ値データを取得することはできない。そこで、本発明においては、シリコン単結晶引き上げ中に供給しているＡｒガスなどの不活性ガスをサンプルガスとして取り込み、さらに分析圧力を調整することによって、ＢＧ値のデータを取得する。
【００６０】
上記サンプルガスとしては、後述するように、炭素製部材のみを単結晶引き上げ装置１００内に組み込んだ状態で空焼きを行い、炉内を冷却した後の排ガスをサンプルガスとして採用した。上記空焼きを行うことによって、装置１００内の炭素製部材からの脱ガス起因による外乱の影響を除外することができる。このように、通常の結晶成長サイクルの中で、外乱の影響が最も少ないガスをサンプルガスとして選択することによって、正確なＢＧ値データを取得することができ、高精度の定量ガス分析に繋がる。
【００６１】
本発明においては、以下のようにして所定のガス成分Ｘに対する電流値ＩXのＢＧ値ＩBGを求める。まず、単結晶引き上げ装置１００内に炭素製部材で構成されたホットゾーンを設置する。次いで、装置１００内に不活性ガスとしてのＡｒガスを導入し、装置１００内のガスをＡｒガスで置換する。続いて、装置１００内を１０００℃以上に加熱して１０時間以上保持して空焼きを行う。その後、装置１００内を２００℃以下まで冷却する。次いで、装置１００内を１×１０-6Ｐａまで初期排気する。その後、所望の分析圧力で所定のガス成分に対する電流値を測定し、ガス濃度を分析する。そして、この分析によって得られた電流値を所定のガス成分Ｘに対する電流値ＩXのＢＧ値ＩBGとする。
【００６２】
こうして予め求めておいた、質量分析装置内の圧力と所定のガス成分に対する電流値のＢＧ値との関係と、所定のガス成分に対する電流値の測定時の質量分析装置内の圧力とから、測定された所定のガス成分に対する電流値を補正し、所定のガス成分の濃度を算出する。具体的には、第１工程において測定された所定のガス成分に対する電流値から、測定された際の分析圧力に対応するＢＧ値を差し引く。これにより、装置起因のＢＧの影響を低減して、所定のガス成分の濃度をより高精度に求めることができる。
【００６３】
なお、本発明者らの検討の結果、上記質量分析装置内の圧力と所定のガス成分の濃度のＢＧ値との関係は、装置１００自体に大きく影響されることが判明した。そこで、複数の単結晶引き上げ装置１００が存在する場合には、各装置１００に質量分析装置を接続し、この単結晶引き上げ装置１００と質量分析装置の組に対して上記分析圧力と所定のガス成分に対する電流値のＢＧ値との関係を予め求めておくことが好ましい。これにより、それぞれの装置１００について、所定のガス成分の濃度を高精度に算出することができる。
【実施例】
【００６４】
以下、本発明の実施例について説明するが、本発明は実施例に限定されない。
【００６５】
（発明例）
図１に示した単結晶引き上げ装置１００を用い、ガス導入口５７から不活性ガスとしてのＡｒガスを導入しながら直径３００ｍｍ、直胴部の長さ２０００ｍｍのシリコン単結晶を引き上げ、四重極質量分析装置を用いて、シリコン単結晶引き上げ中にガス排出口５８から排出された排ガスに含まれるＣＯガスの濃度を算出した。
【００６６】
上記濃度の算出に使用した四重極質量分析装置について、分析圧力とＣＯガスに対する電流値のＢＧ値との関係を予め求めておいた。得られた分析圧力と、ＣＯガスに対する電流値のバックグラウンド値との関係を図２に示す。そして、図２に示した関係に基づいて、測定されたＣＯガスに対する電流値から、測定時の分析圧力に対応するＣＯガスに対する電流値のＢＧ値を差し引いてＣＯガスに対する電流値を補正した。そして、上記式（３）からＣＯガスの濃度を求めた。
【００６７】
なお、上記シリコン単結晶の引き上げ中、直胴部の形成開始から約２時間が経過した時点で、分析圧力が推奨圧力範囲から外れるのを防止するために、四重極質量分析装置内に導入されるガス量を調整するバルブの開度を変更して、分析圧力を３×１０-4Ｐａから６×１０-4に調整した。上記分析圧力の調整を行った時点付近のＣＯガスの濃度および分析圧力を図３に示す。
【００６８】
（従来例）
発明例と同様に、図１に示した単結晶引き上げ装置１００を用いて直径３００ｍｍ、直胴部の長さ２０００ｍｍのシリコン単結晶を引き上げ、四重極質量分析装置を用いて、結晶引き上げ中に装置１００から排出された排ガスに含まれるＣＯガスの濃度を算出した。ただし、測定したＣＯガスに対する電流値に対して、発明例において行ったような、測定されたＣＯガスに対する電流値の補正を行わなかった。上記分析圧力の調整を行った時刻近傍のＣＯガスの濃度および分析圧力を図３に示す。
【００６９】
図３から明らかなように、従来例については、分析圧力が３×１０-4Ｐａから６×１０-4に変化した際にＣＯガス濃度が不連続に大きく低下している。これに対して、発明例については、分析圧力が３×１０-4Ｐａから６×１０-4に変化した際にも不連続な濃度変化は起こっておらず、バックグラウンドの影響を低減してＣＯガス濃度をより高精度に測定できている。
【００７０】
次に、四重極質量分析装置を接続した単結晶引き上げ装置５基を用いて、直径３００ｍｍ、直胴部の長さが２０００ｍｍのシリコン単結晶をそれぞれ４本、計２０本引き上げ、四重極質量分析装置によって、シリコン単結晶引き上げ中のＣＯガス濃度を測定した。測定したＣＯガス濃度について、本発明の方法によりＢＧ値を用いてＣＯガス濃度の補正を行った発明例および補正を行わなかった従来例のそれぞれについて、シリコン単結晶の直胴部長さが１０００ｍｍ〜１１００ｍｍの間に測定したＣＯガス濃度の平均値を図４に示す。
【００７１】
発明例と従来例とで測定値の標準偏差は同程度であり、０．００８〜０．０１０（ａ．ｕ．）あった。一方、ＣＯガス濃度の平均値については、ＣＯガスに対する電流値の補正を行わなかった従来例については、ＣＯガス濃度の装置間差が大きく、その差は各装置の標準偏差よりもはるかに大きかった。これに対して、ＣＯガスに対する電流値の補正を行った発明例については、装置間差が標準偏差未満まで低減された。すなわち、装置毎の正確なＢＧ値を用いて測定された電流値を補正をすることによって、結晶引き上げ中のＣＯガスの濃度をより正確に分析できることが分かる。
【産業上の利用可能性】
【００７２】
単結晶引き上げ装置内のガスに含まれるガス成分の濃度をより高精度に測定するガス分析方法を提供することができるため、半導体ウェーハ製造業において有用である。
【符号の説明】
【００７３】
５１  チャンバ
５２  るつぼ
５２ａ  石英製るつぼ
５２ｂ  カーボン製るつぼ
５３  るつぼ回転昇降軸
５４  ヒータ
５５  引き上げ軸
５６  種結晶保持器
５７  ガス導入口
５８  ガス導出口
６０  熱遮蔽部材
１００  単結晶引き上げ装置
【図１】
2020106369.tif 000004
【図２】
2020106369.tif 000005
【図３】
2020106369.tif 000006
【図４】
2020106369.tif 000007